(57)【特許請求の範囲】
【請求項１】
内部を通流する遊技球の表面汚れを除去するための清浄筒を備えた清浄手段において、
前記清浄筒は、ベースとなる筒体と、該筒体内に形成された高分子樹脂層とを有してなり、
前記高分子樹脂層は、４０±０．５℃、９０±２％ＲＨにおける水蒸気透過度が１０００ｇ／ｍ2・２４ｈ以下であり、
前記清浄筒は、可撓性を有することを特徴とする、清浄手段。
【請求項２】
内部を通流する遊技球の表面汚れを除去するための清浄筒を備えた清浄手段において、
前記清浄筒は、ベースとなる筒体と、該筒体内に形成された高分子樹脂層とを有してなり、
前記高分子樹脂層は、４０±０．５℃、９０±２％ＲＨにおける水蒸気透過度が１０００ｇ／ｍ2・２４ｈ以下であり、
前記高分子樹脂層の内面は、前記筒体の内面よりも動摩擦係数および静止摩擦係数が低いことを特徴とする、清浄手段。
【発明の詳細な説明】
【技術分野】
【０００１】
本発明は、清浄手段に関する。詳しくは、内部を通流する遊技球の表面汚れを除去するための清浄筒を備えた清浄手段に関する。
【背景技術】
【０００２】
従来、パイプ式揚送装置において、パイプの内面に繊維状素材、研磨布、研磨紙、研磨皮革、および、研磨用高分子樹脂などの研磨部材を設けるものがあった（たとえば、特許文献１参照）。
【先行技術文献】
【特許文献】
【０００３】
【特許文献１】特開平１１−４７４１９号公報（段落［００１０］，［００２３］など）
【発明の概要】
【発明が解決しようとする課題】
【０００４】
パチンコ玉に付着する汚れの成分は、後述するように、主として、水、油、繊維および乳酸塩（汗）である。上述したような特許文献１の研磨部材で水分を除去してしまうと、水分の無くなった乳酸塩は、特に、パチンコ玉に強固にこびりついてしまう。このため、結果的に、汚れを落とすための研磨部材が原因となって、パチンコ玉の汚れを落とし難くしてしまう。
【０００５】
この発明はかかる事情に鑑み考え出されたものであり、その目的は、球の汚れを落とし難くすることなく汚れを除去することが可能な清浄手段を提供することである。
【課題を解決するための手段】
【０００６】
（１）  内部を通流する遊技球（たとえば、遊技球１１）の表面汚れ（たとえば、乳酸ナトリウムなどの乳酸塩）を除去するための清浄筒（たとえば、揚送装置１００の揚送パイプ１１０の紙パイプ１１１）を備えた清浄手段（たとえば、揚送パイプ１１０、搬送装置１００）において、
前記清浄筒は、ベースとなる筒体（たとえば、紙パイプ１１１の筒体１１１２）と、該筒体内に形成された高分子樹脂層（たとえば、紙パイプ１１１の高分子樹脂層１１１１）とを有してなり、
前記高分子樹脂層は、４０±０．５℃、９０±２％ＲＨ（Relative Humidity、相対湿度）における水蒸気透過度が１０００ｇ／ｍ2・２４ｈ以下であり、
前記清浄筒は、可撓性を有することを特徴とする。
【０００７】
このような構成によれば、清浄手段によって、清浄筒の内部に遊技球を通流させる場合に、清浄筒の筒体の内面の層の高分子樹脂層の水蒸気透過度が所定値以下であるので、遊技球の汚れ（たとえば、乳酸塩）の水分を残し易くすることができる。その結果、遊技球の汚れを落とし難くすることなく汚れを除去することが可能な清浄手段を提供することができる。
また、揚送される遊技球の動きによって可撓部を有する部分で清浄筒が撓むことで、遊技球同士の接触および高分子樹脂層と遊技球との接触が促進されるとともに、接触する部分の変化が促進される。その結果、遊技球の汚れの除去をより促進することができ、清浄効果を向上させることができる。
（２） 内部を通流する遊技球の表面汚れを除去するための清浄筒を備えた清浄手段において、
前記清浄筒は、ベースとなる筒体と、該筒体内に形成された高分子樹脂層とを有してなり、
前記高分子樹脂層は、４０±０．５℃、９０±２％ＲＨにおける水蒸気透過度が１０００ｇ／ｍ2・２４ｈ以下であり、
前記高分子樹脂層の内面は、前記筒体の内面よりも動摩擦係数および静止摩擦係数が低いことを特徴とする。
このような構成によれば、清浄手段によって、清浄筒の内部に遊技球を通流させる場合に、清浄筒の筒体の内面の層の高分子樹脂層の水蒸気透過度が所定値以下であるので、遊技球の汚れ（たとえば、乳酸塩）の水分を残し易くすることができる。その結果、遊技球の汚れを落とし難くすることなく汚れを除去することが可能な清浄手段を提供することができる。
また、筒体の内面に高分子樹脂層が無い場合と比較して、清浄筒の内面と遊技球との摩擦を少なくすることができる。その結果、筒内の遊技球の通流を滑らかにすることができる。
【０００８】
（３）  上述の（１）または（２）の清浄手段において、
前記高分子樹脂層は、前記高分子樹脂の帯状体を螺旋状に巻いて形成されるとともに、隣合う帯状体は縁同士が重ねられる、または、隣合う帯状体同士に隙間があることを特徴とする。
【０００９】
このような構成によれば、高分子樹脂層の表面、帯状体の重なった段差部分、または、帯状体の隙間部分で遊技球の汚れを除去することができる。その除去された汚れが、帯状体の重なった段差部分、または、帯状体の隙間部分に溜まる。また、その溜まった汚れの吸着力によって遊技球の汚れをさらに除去することができる。
【００１２】
（４）  上述の（１）から（３）のいずれかの清浄手段において、
前記高分子樹脂は、ポリアクリロニトリル系樹脂を含む樹脂、または、ポリエチレンテレフタレート系樹脂を含む樹脂であることを特徴とする。
【００１３】
このような構成によれば、ポリアクリロニトリル系樹脂を含む樹脂、または、ポリエチレンテレフタレート系樹脂を含む樹脂は、水蒸気透過度が上述の所定値以下の樹脂である。このため、高分子樹脂層を水分を残し易い層とすることができる。
【００１６】
（５）  上述の（１）から（４）のいずれかの清浄手段において、
前記清浄筒は、複数段で形成され、各段を個別に交換可能であることを特徴とする。
【００１７】
このような構成によれば、複数段のうちで汚れが溜まる度合いが異なるが、汚れがひどくなった段から交換することができる。
【００１８】
（６）  上述の（１）から（５）のいずれかの清浄手段において、
前記高分子樹脂は、２３±０．５℃、５０±２％ＲＨにおける酸素ガス透過度が５０００ｆｍｏｌ／ｍ2・ｓ・Ｐａ以下であることを特徴とする。
【００１９】
このような構成によれば、清浄筒の内側への酸素の流入を抑制することができる。その結果、遊技球清浄装置の各部の酸化による汚れの発生を防止することができる。また、汚れの酸化による酸化臭の発生を抑制することができる。
【図面の簡単な説明】
【００２０】
【図１】本発明の実施の形態に係る揚送装置の設置状態を示す全体図である。
【図２】本実施の形態に係る揚送装置の設置状態を示す部分斜視図である。
【図３】本実施の形態に係る揚送装置の設置状態の揚送パイプの部分を拡大した拡大図である。
【図４】本実施の形態に係る揚送パイプを示す斜視図である。
【図５】本実施の形態に係る揚送パイプの接続状態を拡大した拡大図である。
【図６】本実施の形態に係る揚送パイプの未接続の状態を拡大した拡大図である。
【図７】本実施の形態に係る揚送パイプの未接続の状態を別の方向から見た拡大図である。
【図８】本実施の形態に係る揚送パイプの紙パイプのジョイント状態を示す図である。
【図９】本実施の形態に係る揚送パイプの開閉式パイプストッパの開放状態を示す第１の図である。
【図１０】本実施の形態に係る揚送パイプの開閉式パイプストッパの開放状態を示す第２の図である。
【図１１】第１の実施の形態に係る揚送パイプの紙パイプの構造を示す図である。
【図１２】第２の実施の形態に係る揚送パイプの紙パイプの構造を示す図である。
【発明を実施するための形態】
【００２１】
［第１の実施の形態］
以下、本発明の実施の形態を図面を参照して説明する。図１は、本発明の実施の形態に係る揚送装置１００の設置状態を示す全体図である。図２は、本実施の形態に係る揚送装置の設置状態を示す部分斜視図である。
【００２２】
図１を参照して、遊技機設置島１は、短手方向の両垂直面に、パチンコ遊技機１０とカードユニット２０とが、長手方向に交互に並べられる。パチンコ遊技機１０は、遊技球が遊技領域に打ち込まれることによって遊技することが可能な装置である。カードユニット２０は、紙幣または遊技に使用可能な価値が記憶されたＩＣカードを受付けて、受付けた価値に応じて遊技球を貸出す装置である。
【００２３】
パチンコ遊技機１０、カードユニット２０、および、遊技機設置島１に設置される機器は、構造部材２によって遊技機設置島１に固定される。
【００２４】
パチンコ遊技機１０の遊技領域には、遊技球が進入すると何らかの価値が付与される入賞口およびいずれの入賞口にも進入しなかった遊技球が進入するアウト口が設けられている。
【００２５】
遊技機設置島１の内部のパチンコ遊技機１０よりも低い位置には、清浄装置付き下部タンク５０が設けられる。清浄装置付き下部タンク５０は、パチンコ遊技機１０の入賞口およびアウト口に進入した遊技球を受入れて、遊技球を清浄化するとともに、一時的に遊技球を貯留するためのタンクである。パチンコ遊技機１０から清浄装置付き下部タンク５０へは、構造部材２に造り付けられた樋やその他の樋４０を介して、遊技球が流れ込むように、樋に勾配が付けられている。これによって、遊技機から排出された遊技球は、清浄装置付き下部タンク５０へ集められる。
【００２６】
揚送装置１００は、遊技機設置島１の内部のパチンコ遊技機１０よりも低い位置の清浄装置付き下部タンク５０の近くに設けられる。揚送装置１００は、パチンコ遊技機１０よりも低い位置から上部タンク７０まで遊技球を揚送するための装置である。揚送装置１００へは、清浄装置付き下部タンク５０から樋６０を介して遊技球が供給される。
【００２７】
上部タンク７０は、遊技機設置島１のパチンコ遊技機１０よりも高い位置に設けられる。上部タンク７０は、揚送装置１００によって揚送された遊技球を受入れて、一時的に貯留するためのタンクである。上部タンク７０へは、揚送装置１００から揚送装置１００の揚送パイプ１１０，１２０，１３０を介して、遊技球が供給される。
【００２８】
揚送装置１００の本体の排出口には、まず、１段目の揚送パイプ１２０が連結され、次に、１段目の上に２段目の揚送パイプ１１０が連結され、さらに、２段目の上に３段目の揚送パイプ１３０が連結され、３段目の揚送パイプ１３０が上部タンク７０に接続される。
【００２９】
パチンコ遊技機１０には、背面に、貯留タンク（図示せず）が設けられている。貯留タンクは、遊技者に貸与される遊技球および遊技者に入賞口への入賞などに対する賞球として払出される遊技球を貯留しておくためのタンクである。この貯留タンクの遊技球が減ると、遊技機設置島１の上部タンク７０から樋（図示せず）を介して遊技球が供給される。
【００３０】
なお、図１で示すように、本実施の形態の揚送装置１００は、特に、揚送パイプ１１０，１２０，１３０の部分を、パチンコ遊技機１０の背面より内側に設置することができる。このため、遊技機設置島１に揚送装置１００の分の幅を余計に設ける必要がないので、パチンコ遊技機１０およびカードユニット２０を、隙間なく、設置することができる。したがって、揚送装置１００のために余計なスペースを必要としない分、パチンコ遊技機１０をより多く設置することができるので、遊技店の売上を向上させることができる。
【００３１】
図３は、本実施の形態に係る揚送装置１００の設置状態の揚送パイプ１１０の部分を拡大した拡大図である。図４は、本実施の形態に係る揚送パイプ１１０を示す斜視図である。図５は、本実施の形態に係る揚送パイプ１１０の接続状態を拡大した拡大図である。図６は、本実施の形態に係る揚送パイプ１１０の未接続の状態を拡大した拡大図である。図７は、本実施の形態に係る揚送パイプ１１０の未接続の状態を別の方向から見た拡大図である。図８は、本実施の形態に係る揚送パイプ１１０の紙パイプ１１１のジョイント状態を示す図である。図９は、本実施の形態に係る揚送パイプ１１０の開閉式パイプストッパ１１６，１１７の開放状態を示す第１の図である。図１０は、本実施の形態に係る揚送パイプ１１０の開閉式パイプストッパ１１６，１１７の開放状態を示す第２の図である。
【００３２】
図３から図１０を参照して、揚送パイプ１１０は、複数本（ここでは５本）の紙パイプ１１１と、パイプジョイント１１２，１１３と、紙パイプケース１１９と、接続部１１４，１１５と、開閉式パイプストッパ１１６，１１７と、パイプ保持部１１８とを備える。
【００３３】
パイプジョイント１１２，１１３は、図４および図８に示すように、複数本の紙パイプ１１１を並べて束ねる。紙パイプケース１１９は、図４、図９および図１０で示すように、束ねられた紙パイプ１１１を収納する。接続部１１４，１１５は、図３および図５から図７で示すように、他の揚送パイプ１３０，１２０とそれぞれ接続するための部分である。
【００３４】
開閉式パイプストッパ１１６，１１７は、図４、図９および図１０で示すように、束ねられた紙パイプ１１１を紙パイプケース１１９の内部に保持するための開閉可能なストッパであり、ヒンジで開閉可能に形成されている。パイプ保持部１１８は、図４および図９で示すように、開閉式パイプストッパ１１６，１１７が開放されているときに紙パイプ１１１が脱落しないように一時的に保持するための部分である。
【００３５】
揚送パイプ１１０，１３０は、それぞれの接続部１１５，１３１が嵌め合わされて接続される。同様に、揚送パイプ１２０は、揚送パイプ１１０の接続部１１４に嵌め合わされて接続される。
【００３６】
【表１】
0006042087.tif 000002
【００３７】
【表２】
0006042087.tif 000003
【００３８】
次に、遊技球に付着する汚れについて説明する。表１は、遊技球が通過する揚送パイプおよび樋などに付着した汚れの成分を示す表である。表２は、遊技球が通過する揚送パイプおよび樋などに付着した汚れから水分を除去した場合の汚れの成分を示す表である。揚送パイプおよび樋などに付着する汚れは、遊技球に付着していた汚れが移ったものである。異物Ａ、異物Ｂおよび異物Ｃは、それぞれ、付着していた箇所が異なる汚れである。
【００３９】
表１および表２を参照して、油分は、遊技球が通過する各部に塗布される鉱物油および遊技者および遊技場の店員などの皮脂類に由来する。水不溶性物質は、遊技者および遊技場の店員の着衣ならびに清掃用具などの繊維成分に由来する。Ｃ，Ｏ，Ｎａは、乳酸塩である乳酸ナトリウムに由来する。Ｍｇ，Ａｌ，Ｓｉ，Ｓ，Ｃｌ，Ｋ，Ｃａ，Ｃｒ，Ｎｉ，Ｃｕは、乳酸塩以外の塩類に由来する。
【００４０】
表２のデータに基づくと、水分を除去した異物Ａ、異物Ｂおよび異物Ｃで、乳酸ナトリウムに由来する成分は、それぞれ、３５．３％、３９．９％、４２．２％であり、４０％前後であり、高い割合を占めている。
【００４１】
このため、乳酸ナトリウムを効果的に除去することができれば、遊技球に付着する汚れの大部分を効果的に除去することができる。
【００４２】
ここで、乳酸ナトリウムなどの乳酸塩は、水分を除去すると、付着している物（たとえば、遊技球）に、強固にこびりついてしまう。
【００４３】
特許文献１のように、パイプ式揚送装置において、パイプの内面に用いる研磨部材の材質を特定しなければ、遊技球に付着する汚れの成分のうち、水分も除去してしまい、結果的に、遊技球に付着した汚れのうち乳酸塩を落とし難くしてしまう。
【００４４】
本実施の形態においては、揚送パイプ１１０のパイプの材質としてボール紙を用いている。この理由は、次のとおりである。ボール紙は、適度な可撓性を有している。このため、図４で示したように、紙パイプ１１１を固定している部分と、固定していない部分とを設けることによって、固定されていない紙パイプ１１１の可撓部分が、揚送される遊技球の動きによって撓む。
【００４５】
この撓みによって、遊技球同士の接触、および、紙パイプ１１１の内面の高分子樹脂の層と遊技球との接触が促進されるとともに、接触する部分の変化が促進される。その結果、遊技球の汚れの除去を促進することができ、清浄効果を向上させることができる。
【００４６】
仮に、揚送パイプ１１０に紙パイプ１１１のみ用いるようにすると、水蒸気透過度が高くなってしまい、内部を通流する遊技球に付着する水分が、紙パイプ１１１の外部に放散してしまう。このため、遊技球への乳酸塩のこびりつきをさらに助長してしまう。
【００４７】
このような問題を解決するために、この実施の形態においては、揚送パイプ１１０の紙パイプ１１１の内面の清浄部材として、水蒸気透過度の比較的低い高分子樹脂を用いるようにした。
【００４８】
図１１は、第１の実施の形態に係る揚送パイプ１１０の紙パイプ１１１の構造を示す図である。図１１（Ａ）は、紙パイプ１１１の斜視図である。図１１（Ｂ）は、紙パイプ１１１の断面斜視図である。
【００４９】
図１１（Ａ）および図１１（Ｂ）を参照して、紙パイプ１１１は、紙パイプ１１１のベースとなる筒体１１１２と、この筒体１１１２の内側に形成された高分子樹脂層１１１１とを有する。この紙パイプ１１１の内側を、遊技球１１が通流する。
【００５０】
遊技球１１は、直径が１１ｍｍである。筒体１１１２は、厚さ１ｍｍ、内径１２ｍｍである。高分子樹脂層１１１１は、幅３ｃｍ、厚さ３０μｍの帯状体を螺旋状に巻いて形成される。また、隣合う帯状体は、縁同士が重ねられる。本実施の形態においては、重なり幅は、０．３ｍｍである。高分子樹脂層１１１１は、接着剤で、筒体１１１２の内側に貼り付けられる。
【００５１】
高分子樹脂層１１１１の表面、および、帯状体の重なった段差部分で、遊技球１１の汚れを除去することができる。その除去された汚れが、帯状体の重なった段差部分に溜まる。また、その溜まった汚れの吸着力によって遊技球１１の汚れをさらに除去することができる。これは、汚れ同士の吸着力の方が、遊技球１１と汚れとの吸着力よりも強いからであると考えられる。これにより、段差部分に溜まった汚れが遊技球１１から汚れを引き剥がすことができる。
【００５２】
なお、各部の寸法は、遊技球１１の通流を妨げない限り、他の寸法であってもよい。たとえば、筒体１１１２の内径を１１．５ｍｍ、帯状体の厚さを５０μｍとした場合、帯状体の重なり部分では、紙パイプ１１１の内径が、１１．５−５０／１０００×２＝１１．４ｍｍとなる。しかし、この場合の紙パイプ１１１の内径は、遊技球１１の直径１１ｍｍよりも大きいので、遊技球１１の通流は可能である。
【００５３】
高分子樹脂層１１１１の帯状体は、少なくとも、筒体１１１２よりも水蒸気透過度が低いものであれば、高分子樹脂層１１１１が無い場合と比較して、筒体１１１２の外に放散する水分の量を減らすことができる。
【００５４】
高分子樹脂の帯状体としては、たとえば、ゼクロン（登録商標）（ポリアクリロニトリル（以下「ＰＡＮ」という）系樹脂であるバレックス（登録商標）をシート状に成形したもの）３０μｍフィルム、ハイトロン（登録商標）ＢＸ（ＰＡＮ系樹脂）３０μｍフィルム、または、ハイトロン（登録商標）ＰＧ（ポリエチレンテレフタレート（以下「ＰＥＴ」という）系樹脂）３０μｍフィルムなどを用いることができる。
【００５５】
しかし、これに限定されず、高分子樹脂の帯状体としては、４０±０．５℃、９０±２％ＲＨにおける水蒸気透過度が１０００ｇ／ｍ2・２４ｈ以下であれば、他の高分子樹脂フィルムであってもよい。一般的に、高分子樹脂フィルムは、筒体１１１２のボール紙のような紙よりも、水蒸気透過度が低い。揚送パイプ１１０の内面の層の高分子樹脂の水蒸気透過度が所定値以下であり、紙パイプ１１１よりも低い。このような高分子樹脂フィルムを用いれば、揚送装置によって、揚送パイプ１１０の内部に遊技球を通流させる場合に、遊技球１１の汚れ（たとえば、乳酸塩）の水分を残し易くすることができる。その結果、遊技球の汚れを落とし難くすることなく、汚れを除去することができる。
【００５６】
たとえば、高分子樹脂の帯状体は、ＰＶＤＣ（ポリ塩化ビニリデン、ＶＤＣ−ＭＡ共重合（塩化ビニリデン−メタクリル酸共重合体））、ＥＶＯＨ（ＥＶＡ（エチレン−酢酸ビニル共重合体）ケン化物）、ＯＶ（ＰＶＤＣコート延伸ＰＶＡ）、ＭＸＤ６（メタキシリデンアジパミド）、ＰＡＮ、ＰＶＤＣコートＯＮｙ（二軸延伸ポリアミド）、ＰＶＤＣコートセロハン、ＰＶＤＣコートＯＰＰ（二軸延伸ポリプロピレン）、ＯＮｙ、ＣＮｙ（無延伸ポリアミド）、セロハン、ＰＶＤＣ（ＶＤＣ−ＶＣ共重合（塩化ビニリデン−塩化ビニル共重合））、ＰＥＴ、ＰＶＣ（ポリ塩化ビニル）、ＯＰＰ、ＨＤＰＥ（高密度ポリエチレン）、ＣＰＰ（無延伸ポリプロピレン）、ＰＣ（ポリカーボネート）、ＰＳ（ポリスチレン）、ＬＤＰＥ（低密度ポリエチレン）などの食品包装用プラスチックフィルム（「科学と工業」，８０（１２），ｐ６０２〜６０８，２００６）であってもよい。
【００５７】
これらの食品包装用プラスチックフィルムは、２５μｍで、水蒸気透過度が１０００ｇ／ｍ2・２４ｈ以下である。高分子樹脂フィルムにおいては、フィルムの厚さおよび水蒸気透過度が反比例の関係を有するといわれている。つまり、フィルムの厚さをＸ倍にすれば、水蒸気透過度が１／Ｘ倍となる。
【００５８】
高分子樹脂の帯状体は、上述した基準を満たす限り、単体フィルム（ＥＶＯＨ系樹脂フィルム、ＰＶＤＣ系フィルム、ナイロン系フィルムなど）、コートフィルム（ＰＶＤＣコートフィルム、アクリル酸系樹脂コーティングフィルムなど）であってもよい。また、蒸着フィルム（アルミ蒸着フィルム、アルミナ蒸着フィルム、シリカ蒸着フィルム、２元蒸着フィルム）、共押出フィルム（ＯＮＹ系共押出フィルム、ＥＶＯＨ共押出ＯＰＰフィルム、ＰＶＡコートＯＰＰフィルム）、積層化フィルムであってもよい。
【００５９】
高分子樹脂の帯状体の水蒸気透過度は、好ましくは、ＪＩＳ  Ｚ１７０７の「食品包装用プラスチックフィルム通則」に規定されている水蒸気透過度の級区分のうち、４級以下であり、さらに好ましくは、３級以下、２級以下、または、１級である。
【００６０】
なお、ＪＩＳ  Ｚ１７０７の水蒸気透過度の級区分は、１級は、１以下、２級は、１を超え５以下、３級は、５を超え２０以下、４級は、２０を超え１００以下、５級は１００を超えるものであり、単位は、ｇ／ｍ2・２４ｈである。それぞれの級の食品包装用プラスチックフィルムは、用途およびコストによって使い分けられるので、級区分には、臨界的意義があるといえる。
【００６１】
水蒸気透過度は、ＪＩＳ  Ｋ７１２９の「プラスチック−フィルムおよびシート−水蒸気透過度の求め方（機器測定法）」またはＪＩＳ  Ｚ０２０８の「防湿包装材料の透湿度試験方法（カップ法）」に規定されている試験で求めることができる。
【００６２】
また、高分子樹脂層１１１１の帯状体は、少なくとも、筒体１１１２よりも酸素ガス透過度が低いものであれば、高分子樹脂層１１１１が無い場合と比較して、筒体１１１２の外から流入する酸素の量を減らすことができる。
【００６３】
高分子樹脂の帯状体としては、２３±０．５℃、５０±２％ＲＨにおける酸素ガス透過度が５０００ｆｍｏｌ／ｍ2・ｓ・Ｐａ以下であれば、他の高分子樹脂フィルムであってもよい。一般的に、高分子樹脂フィルムは、筒体１１１２のボール紙のような紙よりも、酸素ガス透過度が低い。揚送パイプ１１０の内面の層の高分子樹脂の酸素ガス透過度が所定値以下であり、紙パイプ１１１よりも低い。このような高分子樹脂フィルムを用いれば、揚送装置によって、揚送パイプ１１０の内部に遊技球を通流させる場合に、揚送パイプ１１０の内側への酸素の流入を抑制することができる。その結果、揚送装置１００の各部の酸化による汚れの発生を防止することができる。また、汚れの酸化による酸化臭の発生を抑制することができる。
【００６４】
たとえば、前述した水蒸気透過度の低い高分子樹脂のうち、ＰＶＤＣ、ＥＶＯＨ、ＯＶ、ＭＸＤ６、ＰＡＮ、ＰＶＤＣコートＯＮｙ、ＰＶＤＣコートセロハン、ＰＶＤＣコートＯＰＰ、ＯＮｙ、ＣＮｙ、セロハン、ＰＶＤＣ、ＰＥＴ、ＰＶＣであれば、２５μｍで、酸素ガス透過度が５０００ｆｍｏｌ／ｍ2・ｓ・Ｐａ以下である。高分子樹脂フィルムにおいては、フィルムの厚さおよび酸素ガス透過度が反比例の関係を有するといわれている。つまり、フィルムの厚さをＸ倍にすれば、酸素ガス透過度が１／Ｘ倍となる。
【００６５】
高分子樹脂の帯状体の酸素ガス透過度は、好ましくは、ＪＩＳ  Ｚ１７０７の「食品包装用プラスチックフィルム通則」に規定されている酸素ガス透過度の級区分のうち、４級以下であり、さらに好ましくは、３級以下、２級以下、または、１級である。
【００６６】
なお、ＪＩＳ  Ｚ１７０７の酸素ガス透過度の級区分は、１級は、５以下、２級は、５を超え２５以下、３級は、２５を超え１００以下、４級は、１００を超え５００以下、５級は５００を超えるものであり、単位は、ｆｍｏｌ／ｍ2・ｓ・Ｐａである。それぞれの級の食品包装用プラスチックフィルムは、用途およびコストによって使い分けられるので、級区分には、臨界的意義があるといえる。
【００６７】
酸素ガス透過度は、ＪＩＳ  Ｋ７１２６−１の「プラスチック−フィルムおよびシート−ガス透過度試験方法−第１部：差圧法」またはＪＩＳ  Ｋ７１２６−２の「プラスチック−フィルムおよびシート−ガス透過度試験方法−第２部：等圧法」に規定されている試験で求めることができる。
【００６８】
また、高分子樹脂層１１１１の内面は、少なくとも、筒体１１１２の内面よりも動摩擦係数および静止摩擦係数が低ければ、筒体１１１２の内面に高分子樹脂層１１１１が無い場合と比較して、揚送パイプ１１０の内面と遊技球１１との摩擦を少なくすることができる。一般的に、高分子樹脂フィルムは、筒体１１１２のボール紙のような紙よりも、動摩擦係数および静止摩擦係数が低い。その結果、揚送パイプ１１０の遊技球の通流を滑らかにすることができる。
【００６９】
動摩擦係数および静止摩擦係数は、ＪＩＳ  Ｋ７１２５の「プラスチック−フィルムおよびシート−摩擦係数試験方法」に規定されている試験で求めることができる。
【００７０】
また、筒体１１１２および高分子樹脂層１１１１は、接着剤で貼り付けることで固定する。接着剤としては、エポキシ系接着剤、アクリル系接着剤、および、両面粘着テープなど、高分子樹脂層１１１１のプラスチックおよび筒体１１１２の紙の両方に適応可能な接着剤を用いることができる。
【００７１】
また、フィルム用ガスバリア接着剤を用いれば、高分子樹脂層１１１１の水蒸気および酸素ガスのガスバリア性を向上させることができる。
【００７２】
［第２の実施の形態］
第１の実施の形態においては、揚送パイプ１１０の高分子樹脂層１１１１の隣合う帯状体の縁同士が重ねられる場合について説明した。第２の実施の形態においては、揚送パイプ１１０の高分子樹脂層１１１１の隣合う帯状体同士に隙間がある場合について説明する。
【００７３】
図１２は、第２の実施の形態に係る揚送パイプ１１０の紙パイプ１１１の構造を示す図である。図１２（Ａ）は、紙パイプ１１１の斜視図である。図１２（Ｂ）は、紙パイプ１１１の断面斜視図である。
【００７４】
図１２（Ａ）および図１２（Ｂ）を参照して、第１の実施の形態と同様、紙パイプ１１１は、紙パイプ１１１のベースとなる筒体１１１２と、この筒体の内側に形成された高分子樹脂層１１１１とを有する。この紙パイプ１１１の内側を、遊技球１１が通流する。
【００７５】
筒体１１１２は、厚さ１ｍｍ、内径１２ｍｍである。高分子樹脂層１１１１は、幅３ｃｍ、厚さ３０μｍの帯状体を螺旋状に巻いて形成される。また、隣合う帯状体同士に隙間が空けられる。本実施の形態においては、隙間の幅は、０．３ｍｍである。
【００７６】
高分子樹脂層１１１１の表面、および、帯状体の隙間部分で遊技球１１の汚れを除去することができる。その除去された汚れが、帯状体の隙間部分に溜まる。また、その溜まった汚れの吸着力によって遊技球１１の汚れをさらに除去することができる。これは、汚れ同士の吸着力の方が、遊技球１１と汚れとの吸着力よりも強いからであると考えられる。これにより、隙間部分に溜まった汚れが遊技球１１から汚れを引き剥がすことができる。
【００７７】
［変形例］
次に、上述した実施の形態の変形例を説明する。
【００７８】
（１）  前述した実施の形態においては、揚送パイプ１１０が１段で形成され、１段で交換可能であることとした。しかし、これに限定されず、揚送パイプ１１０が複数段で形成され、各段を個別に交換可能であることとしてもよい。また、揚送パイプ１２０，１３０も、揚送パイプ１１０と同様の構造であり、交換可能であることとしてもよい。このようにすれば、複数段の揚送パイプ１１０，１２０，１３０が個別に交換可能であることとなる。
【００７９】
（２）  前述した実施の形態においては、揚送パイプ１１０のパイプの材質は、ボール紙などの紙であることにした。しかし、これに限定されず、揚送パイプ１１０のパイプの材質は、可撓性を有する材質であれば他のものであってもよい。たとえば、ゴムであってもよいし、可撓性を有する樹脂であってもよいし、繊維であってもよい。
【００８０】
なお、上述した撓みによる遊技球の清浄効果は望めなくなるが、揚送パイプ１１０のパイプの材質として、可撓性を有さない材質、たとえば、可撓性のほとんど無い樹脂（たとえば、アクリル樹脂など）、金属、木材、および、セラミックなどを用いてもよい。
【００８１】
（３）  前述した第１の実施の形態においては、帯状体の重ね幅を０．３ｍｍと小さくした。この場合は、高分子樹脂層１１１１のほとんどの部分の厚さが、帯状体の厚さと同じとなる。このため、高分子樹脂層１１１１が厚くならないようにすることができる。
【００８２】
しかし、これに限定されず、３ｃｍ幅の帯状体に対して重ね幅を１．５ｃｍとしてもよい。このようにすれば、高分子樹脂層１１１１の厚さが帯状体の厚さの２倍になるので、水蒸気透過度および酸素ガス透過度を約１／２倍にすることができる。
【００８３】
また、３ｃｍ幅の帯状体に対して重ね幅を２ｃｍとすれば、高分子樹脂層１１１１の厚さが帯状体の厚さの３倍になるので、水蒸気透過度および酸素ガス透過度を約１／３倍にすることができる。
【００８４】
同様に、幅Ｘの帯状体に対して重ね幅をＹとすれば、高分子樹脂層１１１１の厚さが帯状体の厚さのＸ／（Ｘ−Ｙ）倍になるので、水蒸気透過度および酸素ガス透過度を約（Ｘ−Ｙ）／Ｘ倍にすることができる。
【００８５】
このようにすれば、帯状体の水蒸気透過度および酸素ガス透過度が高い場合であっても、高分子樹脂層１１１１の水蒸気透過度および酸素ガス透過度を低くすることができる。
【００８６】
（４）  前述した実施の形態においては、揚送パイプ１１０の紙パイプ１１１の高分子樹脂層１１１１は、帯状体を螺旋状に巻いて形成するようにした。しかし、これに限定されず、帯状体を筒体１１１２の長手方向に垂直に巻いて１つの段を形成し、その段の隣合うものの縁同士を重ねて、または、その段の隣合うものに隙間を空けて、各段を形成するようにしてもよい。
【００８７】
筒体１１１２が筒状に成形された後に、内面に、帯状体を貼り付ける場合は、螺旋状に巻いて形成する方が、効率が良い。しかし、筒体１１１２を筒状に成形する前の展開された状態で、帯状体を貼り付ける場合は、螺旋状に巻く場合も、筒体の長手方向に垂直に巻く場合も、手間は変わらない。
【００８８】
また、筒体１１１２の長手方向の長さの帯状体を長手方向に平行に貼り付けるようにしてもよい。この場合、筒体１１１２の全円周を１本の帯状体でカバーするようにしてもよいし、複数本の帯状体でカバーするようにしてもよい。たとえば、９０度ごとに１本の帯状体を貼り付け、４本の帯状体で全円周をカバーするように貼り付けてもよい。
【００８９】
また、これらの場合に、隣合う帯状体の縁同士を重ね合わせてもよいし、隣合う帯状体同士に隙間を空けてもよい。この場合は、重ね合わせた部分および隙間の長手方向は、筒体１１１２の長手方向と平行になるので、遊技球の流れと略平行となるが、遊技球は、筒体１１１２の長手方向に垂直な方向にも回転するので、重ね合わせ部分および隙間で遊技球の汚れを除去することができる。
【００９０】
また、所定形状（たとえば、矩形、楕円形、多角形など）の高分子樹脂のフィルム片を筒体１１１２の内面に貼り付けて、高分子樹脂層１１１１を形成するようにしてもよい。たとえば、２ｃｍ四方の矩形のフィルム片を貼り付ける場合、内面の円周長が１２ｍｍ×π＝約３７．７ｍｍであるので、円周方向は、２枚でカバーすることができ、円周方向の重ね幅は（２ｃｍ×２−３７．７）／２＝約１．６５ｍｍとなる。また、長手方向にも約２ｃｍごとにフィルム片の重なった段差部分またはフィルム片同士の隙間部分を設けることができる。
【００９１】
このため、高分子樹脂層１１１１を２ｃｍ幅の帯状体で形成する場合よりも、段差部分または隙間部分を多く設けることができ、段差部分または隙間部分に、より多くの汚れが溜まり、その溜まった汚れの吸着力によって遊技球の汚れをさらに多く除去することができる。
【００９２】
（５）  前述した実施の形態における高分子樹脂をポリ乳酸フィルムにしてもよい。ポリ乳酸フィルムは、遊技球の汚れの乳酸塩の吸着性が良いと考えられる。このため、汚れの除去性を向上させることができる。ただし、ポリ乳酸フィルムは、前述した高分子樹脂のフィルムと比較して、水蒸気透過度および酸素ガス透過度があまり低くないので、厚めのフィルムを使うことによって、水蒸気透過度および酸素ガス透過度を前述した基準を満たすようにすることが好ましい。
【００９３】
（６）  前述した実施の形態において、高分子樹脂は、分子レベルの吸着性が低いものの方が好ましい。吸着性が低い方が、揚送パイプ１１０の内部の遊技球の通流が良くなると考えられるからである。
【００９４】
（７）  前述した実施の形態においては、高分子樹脂層１１１１の内面は、平滑であるものとする。しかし、これに限定されず、高分子樹脂層１１１１の内面は、平滑である必要はなく、エンボス加工がされていてもよいし、粗い表面とさていてもよいし、ごく短い（数μｍの）突起を有するような表面とされていてもよい。平滑でない場合は、遊技球の汚れを落とす作用がより高くなると考えられる。
【００９５】
（８）  前述した実施の形態の高分子樹脂は、自己潤滑性を有するものであってもよい。自己潤滑性とは、結晶性のプラスチックが相手の金属に対して極めて摩擦係数が小さく、ほとんど摩耗しない性質である。自己潤滑性を有すれば、遊技球の通流をより滑らかにすることができる。
【００９６】
（９）  前述した実施の形態においては、２段目の揚送パイプ１１０が、揚送装置１００の本体の排出口に、直接、連結されるのではなく、１段目の揚送パイプ１２０を介して接続されるようにした。しかし、２段目の揚送パイプ１１０が、直接、揚送装置１００の本体の排出口に接続されるようにしてもよい。
【００９７】
（１０）  前述した実施の形態においては、揚送パイプ１１０の紙パイプ１１１の筒体１１１２の長手方向すべてが可撓性を有する材質で形成されていて、その紙パイプ１１１の長手方向において、固定されている固定部（開閉式パイプストッパ１１６，１１７で固定されている部分）と、固定の弱いまたは固定されない可撓部（開閉式パイプストッパ１１６，１１７で固定されていない部分）とを有することとした。
【００９８】
しかし、これに限定されず、揚送パイプ１１０のパイプの長手方向の一部が可撓性を有する材質で形成され、かつ、他の部分が可撓性を有さない材質で形成され、可撓性を有さない材質で形成されている部分が固定される一方、可撓性を有する材質で形成されている部分が、弱く固定される、または、固定されないようにしてもよい。
【００９９】
（１１）  前述した第２の実施の形態においては、揚送パイプ１１０の紙パイプ１１１の高分子樹脂層１１１１は、１層であることとした。しかし、高分子樹脂層１１１１の帯状体の隙間から筒体１１１２が覗かないように、１層目と筒体１１１２との間に、さらに、高分子樹脂層を設けるようにしてもよい。このようにすれば、紙パイプ１１１の水蒸気透過度および酸素ガス透過度をさらに減少させることができる。
【０１００】
なお、１層目の上に、隙間を覆うように、高分子樹脂層を設けるようにしても、同様の効果が得られる。また、前述した実施の形態であっても、隙間は帯状体の幅と比較してかなり狭く（前述の例の３ｃｍ幅の帯状体で隙間が０．３ｍｍの場合、１／１００）、面積的に無視できる程度であるので、紙パイプ１１１の水蒸気透過度および酸素ガス透過度にほとんど悪影響は与えない。
【０１０１】
（１２）  前述した実施の形態においては、遊技球を揚送する揚送装置に発明を適用する場合を説明した。しかし、遊技球を搬送するものであれば、揚送に限定されず、横方向に搬送するものであってもよいし、下方向に搬送するものであってもよい。
【０１０２】
（１３）  前述した実施の形態においては、内部を通流する遊技球１１の表面汚れを除去するための清浄筒（たとえば、紙パイプ１１１）を備えた清浄手段（たとえば、揚送装置１００、搬送パイプ１１０）の発明として説明した。しかし、これに限定されず、このような揚送装置１００が設置される遊技機設置島１の発明として捉えることができる。
【０１０３】
また、揚送装置１００、上部タンク、下部タンク、清浄装置、および、それぞれを連結するための搬送パイプや樋などを含み、遊技球１１を、パチンコ遊技機１０から回収して、清浄して、パチンコ遊技機１０に供給するためのシステムの発明として捉えることができる。また、清浄筒（たとえば、紙パイプ１１１）の発明として捉えることができる。
【０１０４】
（１４）  なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【符号の説明】
【０１０５】
１  遊技機設置島、２  構造部材、１０  パチンコ遊技機、１１  遊技球、２０  カードユニット、４０，６０  樋、５０  清浄装置付き下部タンク、７０  上部タンク、１００  揚送装置、１１０，１２０，１３０  揚送パイプ、１１１  紙パイプ、１１２，１１３  パイプジョイント、１１４，１１５，１３１  接続部、１１６，１１７  開閉式パイプストッパ、１１８  パイプ保持部、１１９  紙パイプケース、１１１１  高分子樹脂層、１１１２  筒体。
【図１】
0006042087.tif 000004
【図２】
0006042087.tif 000005
【図３】
0006042087.tif 000006
【図４】
0006042087.tif 000007
【図５】
0006042087.tif 000008
【図６】
0006042087.tif 000009
【図７】
0006042087.tif 000010
【図８】
0006042087.tif 000011
【図９】
0006042087.tif 000012
【図１０】
0006042087.tif 000013
【図１１】
0006042087.tif 000014
【図１２】
0006042087.tif 000015